(57)【要約】【課題】ユーザによる記録材詰まりの解消の操作の完了をユーザに示唆する。【解決手段】画像形成装置は、画像を形成する画像形成ユニットと、用紙を搬送するための経路である用紙搬送路３１と、用紙搬送路３１に設けられ用紙を挟んで搬送する搬送ロール部３２および搬送対向ロール部３３と、ユーザの操作を受けて搬送ロール部３２を動作させ、搬送ロール部３２および搬送対向ロール部３３の用紙ニップ部３１Ｎから用紙を抜き出させる操作ハンドル３４と、ユーザによる操作ハンドル３４の操作により搬送ロール部３２および搬送対向ロール部３３の用紙ニップ部３１Ｎから抜け出る用紙の位置に基づいて操作ハンドル３４の操作の完了を表示する表示機構部４０（表示シャフト４１、移動片４２、ねじりバネ４３、表示板４４および窓部４５）とを備える。【選択図】図３
2015075708.tif 000002
【特許請求の範囲】
【請求項１】
画像を形成する画像形成部と、
前記画像形成部により画像が形成される、または形成された記録材を搬送するための経路である搬送経路部と、
前記搬送経路部に設けられ記録材を挟んで搬送する搬送部と、
ユーザの操作を受けて前記搬送部を動作させ、当該搬送部から記録材を抜き出させる操作部と、
ユーザによる前記操作部の操作により前記搬送部から抜け出る記録材の位置に基づいて当該操作部の操作の完了を表示する表示手段と、
を備えることを特徴とする画像形成装置。
【請求項２】
前記表示手段は、前記搬送経路部に対して進退可能に設けられ記録材搬送方向における前記搬送部が設けられる位置に移動軌跡の一部が設定された移動部と、当該移動部の移動に連動して表示状態が変化する表示部材とを備えることを特徴とする請求項１に記載の画像形成装置。
【請求項３】
前記移動部は、回転する回転軸に設けられ、
前記表示部材は、前記回転軸の回転に伴って回転することを特徴とする請求項２に記載の画像形成装置。
【請求項４】
前記表示部材は、前記操作部に隣接して設けられることを特徴とする請求項１乃至３の何れか１項に記載の画像形成装置。
【請求項５】
記録材を搬送する経路を形成する搬送経路部と、
前記搬送経路部に設けられ記録材を挟んで搬送する搬送部と、
ユーザの操作を受けて前記搬送部を動作させ、当該搬送部から記録材を抜き出させる操作部と、
ユーザによる前記操作部の操作により前記搬送部から抜け出る記録材の位置に基づいて当該操作部の操作の完了を表示する表示手段と、
を備えることを特徴とする記録材搬送装置。
【発明の詳細な説明】
【技術分野】
【０００１】
本発明は、画像形成装置および記録材搬送装置に関する。
【背景技術】
【０００２】
特許文献１には、上面がスタックガイド板により覆われた水平搬送路を備えた両面ユニットにおいて、水平搬送路内に設けられ、用紙の有無により回動する用紙有無検知部材と、この用紙有無検知部材の回動に連動して一端部がスタックガイド板に設けられた開口部に位置して、水平搬送路に用紙が残存していることを知らせる構成が開示されている。
【先行技術文献】
【特許文献】
【０００３】
【特許文献１】特開２００３−８１４８４号公報
【発明の概要】
【発明が解決しようとする課題】
【０００４】
本発明は、ユーザによる記録材詰まりの解消の操作の完了をユーザに示唆することを目的とする。
【課題を解決するための手段】
【０００５】
請求項１に記載の発明は、画像を形成する画像形成部と、前記画像形成部により画像が形成される、または形成された記録材を搬送するための経路である搬送経路部と、前記搬送経路部に設けられ記録材を挟んで搬送する搬送部と、ユーザの操作を受けて前記搬送部を動作させ、当該搬送部から記録材を抜き出させる操作部と、ユーザによる前記操作部の操作により前記搬送部から抜け出る記録材の位置に基づいて当該操作部の操作の完了を表示する表示手段と、を備えることを特徴とする画像形成装置である。
請求項２に記載の発明は、前記表示手段は、前記搬送経路部に対して進退可能に設けられ記録材搬送方向における前記搬送部が設けられる位置に移動軌跡の一部が設定された移動部と、当該移動部の移動に連動して表示状態が変化する表示部材とを備えることを特徴とする請求項１に記載の画像形成装置である。
請求項３に記載の発明は、前記移動部は、回転する回転軸に設けられ、前記表示部材は、前記回転軸の回転に伴って回転することを特徴とする請求項２に記載の画像形成装置である。
請求項４に記載の発明は、前記表示部材は、前記操作部に隣接して設けられることを特徴とする請求項１乃至３の何れか１項に記載の画像形成装置である。
請求項５に記載の発明は、記録材を搬送する経路を形成する搬送経路部と、前記搬送経路部に設けられ記録材を挟んで搬送する搬送部と、ユーザの操作を受けて前記搬送部を動作させ、当該搬送部から記録材を抜き出させる操作部と、ユーザによる前記操作部の操作により前記搬送部から抜け出る記録材の位置に基づいて当該操作部の操作の完了を表示する表示手段と、を備えることを特徴とする記録材搬送装置である。
【発明の効果】
【０００６】
請求項１の発明によれば、画像形成装置において、ユーザによる記録材詰まりの解消の操作の完了をユーザに示唆することが可能になる。
請求項２の発明によれば、本構成を有しない場合と比較して、簡易な構成によって記録材詰まりの解消の操作の完了をユーザに表示することができる。
請求項３の発明によれば、本構成を有しない場合と比較して、移動部が記録材の搬送を阻害し難く構成することができる。
請求項４の発明によれば、本構成を有しない場合と比較して、ユーザが操作部を操作しながら操作の完了の表示を容易に確認し易くできる。
請求項５の発明によれば、記録材搬送装置において、ユーザによる記録材詰まりの解消の操作の完了をユーザに示唆することが可能になる。
【図面の簡単な説明】
【０００７】
【図１】本実施形態の画像形成装置の全体構成を示した図である。
【図２】本実施形態の用紙搬送部を説明するための図である。
【図３】（ａ）および（ｂ）は、図２に示す矢印IIIから見た用紙搬送部の図である。
【図４】（ａ）および（ｂ）は、表示機構部の表示板および窓部を示す図である。
【発明を実施するための形態】
【０００８】
以下、添付図面を参照して、本発明の実施形態について詳細に説明する。
図１は、本実施形態の画像形成装置１の全体構成を示した図である。
図１に示す画像形成装置１は、例えば電子写真方式によって用紙Ｐ（記録材）に対してカラーのトナー像を形成する画像形成部１０と、大量枚数の用紙Ｐを保持するとともに用紙Ｐを画像形成装置１に供給する用紙供給部２０とを備えている。
なお、本実施形態では、電子写真方式によって画像を形成する画像形成部１０を例示するが、画像形成部１０は、例えばインクジェットプリンタで構成しても良い。
【０００９】
画像形成部１０は、トナー像を形成する画像形成ユニット１１と、画像形成ユニット１１が形成したトナー像を保持しながら搬送する中間転写ベルト１２と、中間転写ベルト１２上のトナー像を用紙Ｐに転写する二次転写部１３と、用紙Ｐ上のトナー像を定着する定着装置１４と、画像形成装置１を統括的に制御する総合制御部１５と、指示の受付および情報の提示を行うユーザインタフェース（ＵＩ）１６と、用紙を搬送する用紙搬送経路１７と、複数の用紙Ｐを収容する用紙収容部１８と、画像形成部１０を構成する各構成部を覆う筐体１９とを備える。
【００１０】
画像形成ユニット１１は、所謂タンデム型の構成を有するものである。画像形成ユニット１１は、電子写真方式により各色成分のトナー像を形成する画像形成ユニット１１Ｙ（イエロー）、画像形成ユニット１１Ｍ（マゼンタ）、画像形成ユニット１１Ｃ（シアン）および画像形成ユニット１１Ｋ（ブラック）を備えて構成される。
画像形成ユニット１１の各々は、例えば図１に示す画像形成ユニット１１Ｙのように、回転可能に取り付けられた感光体ドラム１１１を備えている。また、感光体ドラム１１１の周囲には、感光体ドラム１１１を帯電する帯電装置１１２、感光体ドラム１１１を露光して静電潜像を書き込む露光装置１１３、感光体ドラム１１１上の静電潜像をトナーにより可視像化する現像装置１１４が設けられている。さらに、感光体ドラム１１１上に形成された各色成分トナー像を中間転写ベルト１２に転写する一次転写装置１１５、感光体ドラム１１１上の残留トナーを除去するドラム清掃装置１１６が設けられている。
【００１１】
中間転写ベルト１２は、各画像形成ユニット１１にて形成された各色成分トナー像が順次転写（一次転写）されトナー像を保持する。また、二次転写部１３は、中間転写ベルト１２上のトナー像を用紙Ｐに一括転写（二次転写）する。
定着装置１４は、二次転写部１３により用紙Ｐ上に二次転写された画像をこの用紙Ｐに定着させる。定着装置１４は、用紙Ｐを加圧および加熱することで、用紙Ｐ上のトナー像を用紙Ｐに定着させる。
【００１２】
総合制御部１５は、画像形成部１０にネットワークなどを介して接続される不図示のＰＣ（パーソナルコンピュータ）などから、画像形成のための画像データや印刷指示を受け付けるとともに、画像形成部１０および画像形成部１０に接続する用紙供給部２０を構成する各構成部の動作を制御する。
ユーザインタフェース（ＵＩ）１６は、液晶タッチパネル等の表示パネルにより構成され、ユーザから受けた指示を総合制御部１５に出力するとともに総合制御部１５からの情報をユーザに提示する。
【００１３】
また、用紙搬送経路１７は、二次転写部１３に向けて搬送される用紙Ｐが通過する第１用紙搬送経路Ｒ１、二次転写部１３を通過した後の用紙Ｐが通過する第２用紙搬送経路Ｒ２、および用紙Ｐを反転させて再び二次転写部１３に向けて用紙Ｐを搬送する第３用紙搬送経路Ｒ３等を備えて構成される。
【００１４】
用紙収容部１８は、画像形成部１０の内部に設けられる。そして、用紙収容部１８は、収容される用紙Ｐを二次転写部１３に向けて供給する。
筐体１９は、画像形成ユニット１１、中間転写ベルト１２、二次転写部１３、定着装置１４、総合制御部１５、用紙搬送経路１７および用紙収容部１８を支持するとともに、これらの構成部を覆うように設けられる。
【００１５】
用紙供給部２０は、所謂大容量用紙供給装置（High Capacity Feeder：HCF）であり、画像形成部１０に対して高速で用紙Ｐを供給する。用紙供給部２０は、複数の用紙Ｐが搭載される第１用紙搭載部２１と、第１用紙搭載部２１の下方に位置して複数の用紙Ｐが搭載される第２用紙搭載部２２と、第１用紙搭載部２１および第２用紙搭載部２２から供給される用紙Ｐを画像形成部１０に向けて搬送する用紙搬送部３０とを備えている。
第１用紙搭載部２１および第２用紙搭載部２２は、それぞれ引出可能に構成されている。例えば第１用紙搭載部２１を用紙供給部２０の本体から引き出した状態で、第１用紙搭載部２１に用紙Ｐを補充することができる。
【００１６】
続いて、画像形成装置１の画像形成動作について説明する。
不図示のＰＣ等にて形成された画像データが画像形成部１０の総合制御部１５にて受け付けられると、総合制御部１５では、画像データに対して画像処理を施す。画像処理が施された画像データは、露光装置１１３に出力される。画像データを取得した露光装置１１３は、帯電装置１１２により帯電した感光体ドラム１１１を選択的に露光することで感光体ドラム１１１上に静電潜像を形成する。感光体ドラム１１１に形成された静電潜像は、現像装置１１４により例えば黒(Ｋ)のトナー像として現像される。
【００１７】
一方、画像形成のタイミングに合わせて、例えば画像形成部１０の用紙収容部１８、用紙供給部２０の第１用紙搭載部２１および第２用紙搭載部２２の何れかから第１用紙搬送経路Ｒ１を介して用紙Ｐが供給される。この用紙Ｐは、中間転写ベルト１２の回転タイミングに合わせて、二次転写部１３へと搬送される。そして、二次転写部１３において、感光体ドラム１１１に形成されたトナー像が用紙Ｐに転写される。その後、トナー像が転写された用紙Ｐは、第２用紙搬送経路Ｒ２上を搬送されながら、定着装置１４にて定着処理を受ける。なお、一方の面に画像形成部１０にて画像が形成された用紙Ｐの他方の面に画像を形成する所謂両面印刷を行う際には、第３用紙搬送経路Ｒ３を通って用紙Ｐを反転させ再び二次転写部１３に搬送して画像形成を行う。
【００１８】
ところで、例えば用紙供給部２０の用紙搬送部３０にて用紙Ｐが引っ掛かり用紙Ｐが詰まる場合（用紙ジャム）がある。この場合において、例えば用紙供給部２０を移動させて用紙供給部２０と画像形成部１０との接続を無理に解除したりすると、用紙Ｐがちぎれて用紙供給部２０や画像形成部１０に用紙Ｐの一部が残ってしまう可能性がある。同様に、用紙搬送部３０にて用紙Ｐが引っ掛かった状態で、例えば用紙供給部２０の第１用紙搭載部２１を引き出そうとすると、やはり、用紙Ｐがちぎれて用紙供給部２０や画像形成部１０の内部に残るおそれがある。
【００１９】
そして、従来の画像形成装置では、例えば用紙搬送部３０に操作ハンドルが設けられ、操作ハンドルを回すことで用紙Ｐを移動させて用紙詰まりを解消させる。ただし、従来の画像形成装置では、用紙Ｐが直接見えなかったり見え難かったりする箇所においては、操作ハンドルをどのくらい回せば、用紙詰まりが解消されたのかユーザが判らなかった。そのため、例えば操作ハンドルを回す操作を行う一方で、例えば用紙搬送部３０を開けて用紙Ｐの状態を確認するという作業を同時に行うことを強いられていた。
【００２０】
これに対して、本実施形態が適用される画像形成装置１では、用紙搬送部３０に後述する表示機構部４０を設けることによって、ユーザの操作によって用紙詰まりを解消させる際に、用紙詰まりの解消の完了をユーザに示唆するように構成した。以下、用紙搬送部３０の構成についてより詳細に説明する。
【００２１】
図２は、本実施形態の用紙搬送部３０を説明するための図である。
図３は、図２に示す矢印IIIから見た用紙搬送部３０の図である。なお、図３では、後述する操作ハンドル３４の図示を省略している。
用紙搬送部３０は、図２に示すように、用紙Ｐの搬送の経路を形成する用紙搬送路３１と、用紙搬送路３１上に位置して用紙搬送路３１における用紙Ｐを用紙搬送方向の下流側に向けて搬送する搬送ロール部３２と、搬送ロール部３２に対向して設けられる搬送対向ロール部３３と、用紙搬送部３０における用紙詰まりを解消するためにユーザが操作する操作ハンドル３４と、用紙詰まりが解消したことをユーザに表示する表示機構部４０とを有している。
【００２２】
用紙搬送路３１（搬送経路部）は、第１搬送部材３１１と、第１搬送部材３１１との間に用紙Ｐを搬送することが可能な間隔を有して第１搬送部材３１１に対向して設けられる第２搬送部材３１２とを有する。そして、用紙搬送路３１は、第１搬送部材３１１と第２搬送部材３１２との間に用紙Ｐが通過する用紙通過部３１Ｐを形成する。
【００２３】
第１搬送部材３１１は、搬送する用紙Ｐの用紙幅（搬送方向に交差する方向の幅）以上の幅を有する板状に形成された部材である。そして、第１搬送部材３１１は、搬送ロール部３２の後述する第１搬送ロール３２１および第２搬送ロール３２２が用紙通過部３１Ｐの内側に突出して用紙通過部３１Ｐ上に位置するように開口する開口部３１１Ｈを２箇所に有している。
【００２４】
第２搬送部材３１２は、第１搬送部材３１１と同様に、搬送する用紙Ｐの用紙幅以上の幅を有する板状に形成された部材である。そして、第２搬送部材３１２は、搬送対向ロール部３３の後述する第１搬送対向ロール３３１および第２搬送対向ロール３３２が用紙通過部３１Ｐの内側に突出して用紙通過部３１Ｐ上に位置するように開口する開口部３１２Ｈを２箇所に有している。また、第２搬送部材３１２は、表示機構部４０の後述する移動片４２を用紙通過部３１Ｐに対して進退可能にするための開口である移動片開口部３１２Ｍを備えている。
【００２５】
さらに、第２搬送部材３１２は、用紙通過部３１Ｐとは反対側に設けられ搬送対向ロール部３３を保持する保持部３１２Ｊを有する。保持部３１２Ｊは、第２搬送部材３１２から立ち上がるように延びて形成される溝３１２Ｔが形成される。そして、保持部３１２Ｊは、溝３１２Ｔにおいて後述する軸受３３３Ｂを第２搬送部材３１２の主面に沿った方向には移動させず、開口部３１２Ｈに向けた方向に移動可能に保持する。
【００２６】
搬送ロール部３２は、第１搬送ロール３２１と、第１搬送ロール３２１に並列に設けられる第２搬送ロール３２２と、第１搬送ロール３２１および第２搬送ロール３２２の共通の回転軸となる搬送シャフト３２３とを有する。
【００２７】
第１搬送ロール３２１は、円柱状の部材であって、搬送シャフト３２３を回転軸として回転することで外周面が用紙Ｐに接触して用紙Ｐを搬送する。また、第２搬送ロール３２２は、第１搬送ロール３２１と同様に、円柱状に形成され、搬送シャフト３２３を回転軸として回転することで外周面が用紙Ｐに接触して用紙Ｐを搬送する。なお、第１搬送ロール３２１および第２搬送ロール３２２は、用紙Ｐに接触して搬送できれば良く、プラスチック、ゴム等の材料を用いることができる。
【００２８】
搬送シャフト３２３は、第１搬送対向ロール３３１および第２搬送対向ロール３３２が固定して取り付けられる。そして、搬送シャフト３２３は、軸方向の一端と他端とにおいて軸受３２３Ｂに回転可能に支持される。
また、搬送シャフト３２３は、駆動モータＭに接続する。そして、搬送シャフト３２３が駆動モータＭに駆動されて回転することで、第１搬送ロール３２１および第２搬送ロール３２２が回転する。さらに、搬送シャフト３２３には、図２に示すように、操作ハンドル３４が取り付けられる。操作ハンドル３４については、後に詳しく説明する。
【００２９】
搬送対向ロール部３３は、第１搬送対向ロール３３１と、第１搬送対向ロール３３１に並列に設けられる第２搬送対向ロール３３２と、第１搬送対向ロール３３１および第２搬送対向ロール３３２の共通の回転軸となる対向シャフト３３３とを有する。
【００３０】
第１搬送対向ロール３３１は、円柱状の部材であって、第１搬送ロール３２１に対向して配置される。また、第１搬送対向ロール３３１は、第１搬送ロール３２１との間に用紙Ｐを挟み込む。そして、第１搬送対向ロール３３１は、用紙Ｐが搬送される際に、第１搬送ロール３２１との間に用紙Ｐを挟みながら対向シャフト３３３を回転軸に回転する。
【００３１】
第２搬送対向ロール３３２は、円柱状の部材であって、第２搬送ロール３２２に対向して配置される。また、第２搬送対向ロール３３２は、第２搬送ロール３２２との間に用紙Ｐを挟み込む。そして、第２搬送対向ロール３３２は、用紙Ｐが搬送される際に、第２搬送ロール３２２との間に用紙Ｐを挟みながら対向シャフト３３３を回転軸として回転する。
なお、第１搬送対向ロール３３１および第２搬送対向ロール３３２は、用紙Ｐに接触して搬送できれば良く、プラスチック、ゴム等の材料を用いることができる。
【００３２】
対向シャフト３３３は、第１搬送対向ロール３３１および第２搬送対向ロール３３２が固定して取り付けられる。そして、対向シャフト３３３は、軸方向の一端と他端とにおいて軸受３３３Ｂに回転可能に支持される。この軸受３３３Ｂには、図２に示すように、コイルバネ３３３Ｓなどの弾性部材が取り付けられる。そして、対向シャフト３３３は、軸受３３３Ｂを介してコイルバネ３３３Ｓのバネ力を受けることで、第１搬送対向ロール３３１と第２搬送対向ロール３３２とを、第１搬送ロール３２１と第２搬送ロール３２２にそれぞれ押し付ける。
【００３３】
なお、以下の説明において、例えば図３に示すように第１搬送対向ロール３３１と第１搬送ロール３２１との対向箇所であって用紙Ｐを挟み込む領域、第２搬送対向ロール３３２と第２搬送ロール３２２との対向箇所であって用紙Ｐを挟み込む領域を、それぞれ用紙ニップ部３１Ｎと呼ぶ。さらに、本実施形態では、例えば図２および図３に示すように、用紙搬送路３１における用紙搬送方向と直交する直線のうち用紙ニップ部３１Ｎを通る直線をニップ仮想線ＮＬと呼ぶ。
また、本実施形態において、搬送ロール部３２（第１搬送ロール３２１，第２搬送ロール３２２）と、搬送対向ロール部３３（第１搬送対向ロール３３１，第２搬送対向ロール３３２）とが搬送部の一例として機能する。
【００３４】
操作ハンドル３４（操作部）は、図２に示すように、搬送シャフト３２３の端部に固定して取り付けられる。操作ハンドル３４は、ユーザによる回転操作を受けることで、搬送シャフト３２３を回転させる。そして、例えば用紙ニップ部３１Ｎに用紙Ｐが挟み込まれている状態において操作ハンドル３４が回転操作されると、搬送ロール部３２が回転して用紙Ｐが移動する。そして、この操作ハンドル３４の回転操作によって、用紙ニップ部３１Ｎから用紙Ｐを抜き出す。
【００３５】
表示機構部４０（表示手段）は、搬送シャフト３２３に沿って形成される表示シャフト４１と、表示シャフト４１に設けられる移動片４２と、表示シャフト４１にバネ力を付与するねじりバネ４３と、表示シャフト４１の端部に設けられる表示板４４とを有する。さらに、表示機構部４０は、筐体１９の表示板４４が対向する箇所に窓部４５を有する。
【００３６】
表示シャフト４１は、一端部が第２搬送対向ロール３３２側に位置し、他端部が操作ハンドル３４側に位置する。表示シャフト４１は、不図示の軸受によって、回転可能に支持される。また、表示シャフト４１は、第２搬送対向ロール３３２側の端部に突起部４１Ｐを有する。そして、突起部４１Ｐには、ねじりバネ４３の一端部４３ａ（後述）が掛けられる。
【００３７】
移動片４２（移動部）は、本実施形態では、第１搬送ロール３２１と第２搬送ロール３２２との間に位置するように設けられる。移動片４２は、表示シャフト４１の径方向外側に突出するように形成される。移動片４２は、表示シャフト４１を回転軸にして回転し、第１搬送部材３１１の移動片開口部３１１Ｍを通じて用紙通過部３１Ｐに対して進退する。
【００３８】
また、移動片４２は、図３（ａ）および図３（ｂ）に示すように、先端部４２Ｐの回転軌跡が用紙搬送方向における用紙ニップ部３１Ｎが形成される位置を通過するように設定される。そして、移動片４２は、先端部４２Ｐの回転軌跡の一部がニップ仮想線ＮＬを通るように設定する。従って、例えば移動片４２は、図３（ａ）に示すように、用紙ニップ部３１Ｎに用紙Ｐが挟まれている状態では、先端部４２Ｐが用紙Ｐの片面に接触することで先端部４２Ｐがニップ仮想線ＮＬ上に位置する。一方で、移動片４２は、図３（ｂ）に示すように、用紙ニップ部３１Ｎに用紙Ｐが挟まれていない状態では、先端部４２Ｐがニップ仮想線ＮＬから外れた位置に位置する。
【００３９】
ねじりバネ４３は、図２に示すように、ねじりバネ４３を構成する線の一端部４３ａと他端部４３ｂとを有する。ねじりバネ４３は、内側に表示シャフト４１が挿入されて表示シャフト４１に取り付けられる。そして、ねじりバネ４３の一端部４３ａが表示シャフト４１の突起部４１Ｐに掛けられる。また、ねじりバネ４３の他端部４３ｂが第２搬送部材３１２に当てられる。そして、ねじりバネ４３は、図３（ａ）および図３（ｂ）に示すように、移動片４２が第１搬送部材３１１側に向けて移動するように表示シャフト４１に回転力を付与する。
【００４０】
表示板４４（表示部材）は、図２に示すように、表示シャフト４１の操作ハンドル３４側の端部に設けられる。本実施形態の表示板４４は、表示シャフト４１を中心とした扇形状に形成される。そして、上述のとおり、表示シャフト４１には移動片４２が形成される。従って、表示板４４は、移動片４２に対する用紙Ｐの接触の状態または非接触の状態に伴う表示シャフト４１の回転動作に連動して、表示シャフト４１を回転軸として回転する。
【００４１】
また、表示板４４は、図３（ａ）および図３（ｂ）に示すように、表示シャフト４１の回転方向に２種類の色分けが施された色部４４１を有している。本実施形態では、例えば赤色が付けられる第１色部４４Ａと、例えば青色が付けられる第２色部４４Ｂとを有している。表示板４４は、この第１色部４４Ａと第２色部４４Ｂとが、回転角度に応じて窓部４５にそれぞれ対向するように構成されている。
【００４２】
窓部４５は、図２に示すように、筐体１９において本実施形態では矩形状に形成された開口である。窓部４５は、表示板４４の色部４４１を筐体１９の外側から覗くことができるように形成する。なお、本実施形態では、窓部４５（表示板４４）の位置と操作ハンドル３４とは隣接して配置する。そして、本実施形態では、ユーザが操作ハンドル３４を操作しながら窓部４５から表示板４４の色部４４１を容易に視認できるように構成している。
【００４３】
そして、表示板４４と窓部４５とは、以下の関係となるように構成される。すなわち、図３（ａ）に示すように、移動片４２の先端部４２Ｐがニップ仮想線ＮＬに位置している状態では、表示板４４における色部４４１のうち第１色部４４Ａが窓部４５に対向するように構成する。また、図３（ｂ）に示すように、移動片４２の先端部４２Ｐが本実施形態では第１搬送部材３１１側に位置することでニップ仮想線ＮＬ上には先端部４２Ｐが位置していない状態では、表示板４４における色部４４１のうち第２色部４４Ｂが窓部４５に対向するように構成する。
【００４４】
図４は、表示機構部４０の表示板４４および窓部４５を示す図である。
用紙搬送部３０の用紙通過部３１Ｐにおいて用紙詰まりが発生した場合について説明する。
ユーザは、用紙通過部３１Ｐに詰まっている用紙Ｐを除去するために、図４（ａ）に示すように、操作ハンドル３４を回転操作する。操作ハンドル３４を回転させることによって、図２に示すように、搬送シャフト３２３が回転する。そして、搬送シャフト３２３に設けられる第１搬送ロール３２１および第２搬送ロール３２２が回転することによって用紙Ｐが移動する。
【００４５】
このとき、ユーザは、画像形成装置１の内部における用紙Ｐの状態は直接見ることができないものの、図４（ａ）に示すように、窓部４５から表示板４４を確認することができる。この状態において、画像形成装置１の装置の内部では、図３（ａ）に示すように、用紙ニップ部３１Ｎに用紙Ｐが挟まれた状態になっている。そのため、用紙Ｐに移動片４２の先端部４２Ｐが接触し、先端部４２Ｐがニップ仮想線ＮＬに位置している。そして、画像形成装置１の外部からは、図４（ａ）に示すように、赤色が付された第１色部４４Ａが窓部４５に表示された状態を確認することができる。
【００４６】
その後、ユーザは、図４（ｂ）に示すように、操作ハンドル３４をさらに回転操作する。これによって、図３（ｂ）に示すように、用紙ニップ部３１Ｎから用紙Ｐが抜け出る。そして、移動片４２の先端部４２Ｐに対する用紙Ｐの接触が解除される。移動片４２は、搬送シャフト３２３に取り付けられるねじりバネ４３によって第１搬送部材３１１に向けて移動する方向の力が付与されている。従って、用紙Ｐが用紙ニップ部３１Ｎから抜け出ることで、移動片４２は、搬送シャフト３２３を回転軸として回転し、先端部４２Ｐが第１搬送部材３１１側へと移動する。そして、先端部４２Ｐは、ニップ仮想線ＮＬからずれた位置に位置する。また、移動片４２が回転移動することに伴って表示板４４も回転する。
【００４７】
そして、画像形成装置１の外部からは、図４（ｂ）に示すように、本実施形態では青色が付された第２色部４４Ｂが窓部４５に表示された状態を確認することができる。以上のようにして、ユーザは、窓部４５に現れる色が第１色部４４Ａの赤色から、第２色部４４Ｂの青色に変化したことを確認することで、用紙ニップ部３１Ｎから用紙Ｐが抜け出たこと確認することができる。従って、ユーザは、操作ハンドル３４の回転操作による用紙詰まりの解消の完了を判断できる。
【００４８】
本実施形態では、例えば用紙通過部３１Ｐにて用紙詰まりが発生し、ユーザが操作ハンドル３４を回転操作して用紙ニップ部３１Ｎから用紙Ｐを抜け出させる際、操作ハンドル３４のユーザによる操作に基づき用紙ニップ部３１Ｎから用紙Ｐが抜け出る位置に用紙Ｐが位置することで移動片４２および表示シャフト４１が作動して操作ハンドル３４の操作の完了を表示板４４が窓部４５に表示する構成になっている。このように、ユーザによる操作ハンドル３４の操作により用紙ニップ部３１Ｎから抜け出る用紙Ｐの位置に基づいて操作ハンドル３４の操作の完了を表示するようにしている。
そのため、表示機構部４０によって、装置を開けなければ直接確認できない内部の用紙ニップ部３１Ｎにおける用紙Ｐの状態をユーザが外部から判別することができる。従って、操作ハンドル３４をどの程度、回転操作すれば用紙ニップ部３１Ｎから用紙Ｐを抜き出す操作が完了するかをユーザが判断できる。
【００４９】
なお、本実施形態では、操作ハンドル３４および表示機構部４０を設ける箇所として、用紙搬送部３０における例を用いて説明しているが、これに限定されるものではない。例えば、画像が形成される前の用紙Ｐの経路および画像が形成された用紙Ｐの経路のいずれであっても、操作ハンドル３４および表示機構部４０を適用することができる。
さらに、用紙Ｐが詰まる箇所を直接的に視認することができない箇所に、操作ハンドル３４および表示機構部４０を配置することを限定されない。例えば、画像形成装置１の下部などにおける用紙詰まりを除去するような場合など、操作ハンドル３４を操作しながらユーザが用紙詰まりの状態を確認するのが困難な位置に操作ハンドル３４および表示機構部４０を設けることによって、用紙詰まりの解消の操作の完了を判断でき、操作ハンドル３４の操作を過不足無く行える。
【００５０】
また、本実施形態では、表示板４４および窓部４５によってユーザに用紙詰まりの解消の完了を表示しているが、この構成に限定する訳ではない。例えば、移動片４２の動作に伴って回転する表示シャフト４１の動きに応じて点灯する２種類のランプを設ける。そして、用紙ニップ部３１Ｎに用紙Ｐが挟み込まれた状態では例えば赤色のランプを点灯させ、用紙ニップ部３１Ｎに用紙Ｐが挟み込まれていない状態では例えば緑色のランプを点灯させるように構成しても良い。さらに、画像形成装置１におけるユーザインタフェース（ＵＩ）１６に移動片４２の動作に連動させて、予め定めたメッセージテキストや画像を表示するようにしても構わない。
ただし、本実施形態では、移動片４２を介して表示シャフト４１が用紙Ｐの動作に連動して回転し、その回転動作によって表示板４４の表示状態が変化するように機械的に構成することで、例えば電子的なセンサを別途設けたりや画像表示のための制御を行ったりする必要がなく、簡易な構成で操作ハンドル３４の操作の完了の表示を実現している。
【００５１】
なお、本実施形態では、操作ハンドル３４をユーザが直接的に回転操作して搬送ロール部３２の搬送シャフト３２３を回転させるが、この構成に限定する訳ではない。画像形成装置１の制御に基づく自動的な用紙詰まりの解消の動作ではなく、ユーザによる操作ハンドル３４の直接的な操作に基づいて用紙詰まりの解消を行うものであれば良い。例えば操作ハンドル３４を回転させる駆動モータを設ける。さらに、ユーザがその駆動モータを任意で操作することを可能にするスイッチなどを設ける。そして、ユーザによるスイッチの操作に基づいて操作ハンドル３４を回転操作し、搬送ロール部３２を動作させるようにしても良い。
【００５２】
さらに、本実施形態では、表示シャフト４１に移動片４２および表示板４４を設け、表示シャフト４１の回転動作によって、用紙詰まりの解消の完了を表示する構成を採用しているが、これに限定されるものではない。例えば、移動片４２を直線的に移動するようにする。そして、用紙ニップ部３１Ｎに位置する用紙Ｐの接触または非接触の状態に応じて、用紙Ｐに対して移動片４２を進退可能に構成する。さらに、移動片４２の位置に応じて表示状態が変化する表示部材を設ける。このようにして、用紙詰まりの解消の操作の完了をユーザに表示するようにしても良い。
ただし、本実施形態では、用紙通過部３１Ｐ上に移動片４２を位置させるため、移動片４２を回転可能にすることによって、用紙Ｐが移動片４２の接触によって移動片４２が回転移動し、移動片４２が用紙Ｐの搬送を阻害し難くなるように構成している。
【符号の説明】
【００５３】
１…画像形成装置、１０…画像形成部、２０…用紙供給部、３０…用紙搬送部、３１…用紙搬送路、３１Ｎ…用紙ニップ部、３２…搬送ロール部、３３…搬送対向ロール部、３４…操作ハンドル、４０…表示機構部、４１…表示シャフト、４２…移動片、４２Ｐ…先端部、４４…表示板、４４Ａ…第１色部、４４Ｂ…第２色部、４５…窓部
【図１】
2015075708.tif 000003
【図２】
2015075708.tif 000004
【図３】
2015075708.tif 000005
【図４】
2015075708.tif 000006